【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
ポールハンドル（１）への締着のための手保持デバイス（７０）であって、前記手保持デバイスは、手のための挿入開口部（７１）、手の甲のための第１の出口開口部（７２）、及び親指のための第２の出口開口部（７３）を備え、前記手保持デバイス（７０）は、さらに、親指と他の指との間にガイドされる第１のストリップ（７４）を備え、該第１のストリップ（７４）には、該ポールハンドル（１）内の、及び／又は該ポールハンドル（１）上の解放可能機構に自動ロック式で締着できる連結要素（７９）が設けられ、前記第１のストリップは、少なくとも、前記連結要素（７９）の外側の手の面側における領域（７４ａ）が弾性であるように実現される、手保持デバイス（７０）。
【請求項２】
前記第１のストリップ（７４）は、前記手保持デバイスに締着され、手の外面の側の第１の領域（７４ａ）においては弾性又は可撓性の材料から形成され、手の内面の側（７４b）においては非弾性の材料から形成されるストリップである、請求項１に記載の手保持デバイス（７０）。
【請求項３】
前記第１のストリップ（７４）は、手の外面の側における前記手保持デバイス（７０）の領域（７６）と、手の内面の側における前記手保持デバイス（７０）の領域（７７）とを接続し、前記第１のストリップ（７４）の第１の端部及び前記第１のストリップ（７４）の第２の端部において前記手保持デバイス（７０）に締着される、請求項１又は２に記載の手保持デバイス。
【請求項４】
手の外面の側における前記手保持デバイス（７０）の領域（７６）において、前記手保持デバイス（７０）は少なくとも部分的に多層で実現される、請求項１〜３のいずれかに記載の手保持デバイス（７０）。
【請求項５】
前記第１のストリップは、手の外面の側における前記手保持デバイス（７０）の前記領域（７６）において手のための前記挿入開口部（７１）の付近に締着され、及び／又は、前記第１のストリップは、手の内面の側におけるその第２の端部において前記手保持デバイス（７０）に締着される、請求項１〜４のいずれかに記載の手保持デバイス（７０）。
【請求項６】
前記連結要素（７９）は、鋸歯状剛性要素、フック状デバイス、又は、ストラップ若しくは鳩目として実現される、請求項１〜５のいずれかに記載の手保持デバイス。
【請求項７】
前記手保持デバイス（７０）は、前記挿入開口部（７１）と前記第１の出口開口部（７２）との間の領域において、可変であるように固定可能な第１の締着デバイス（８２）を備える、請求項１〜６のいずれかに記載の手保持デバイス（７０）。
【請求項８】
ポールのために好ましいポールハンドル（１）であって、前記ポールハンドルは、ハンドル本体（３）と、手保持デバイス（７０）の締着のためのフック状デバイス（１４）を有するハンドル頭部（２）とを備え、前記フック状デバイス（１４）は、別個のロックモジュール（６）に締着されるか、又はその一部を成し、前記ロックモジュール（６）は、片方の手の側（Ｈ）から及び／又は上方からアクセス可能である凹み（４）に挿入可能であり、前記ハンドル頭部（２）内及び／又は前記ハンドル頭部（２）上に締着可能であり、前記ロックモジュール（６）内及び／又は前記ロックモジュール（６）上で変位可能又は回転可能なロック手段（１０、１１）が上方から前記フック状デバイス（１４）内に本質的に押し込まれ、前記手保持デバイス（７０）上に設けられるストラップ形状、リング形状、又は鳩目形状のデバイス（７９）が、前記フック状デバイス（１４）内又は前記ロックモジュール（６）に固定されるように配置される、ポールハンドル（１）。
【請求項９】
前記ロックモジュール（６）は、前記ポールハンドル（１）の長手軸（５６）を横切るように配置された少なくとも１つの第１のクロスピン（４５）によって、前記ハンドル頭部（２）に締着され、同時に、前記ハンドル頭部（２）にカバー（１２）を締着するのに役立つ、請求項８に記載のポールハンドル（１）。
【請求項１０】
前記ロックモジュール（６）は、変位可能及び／又は回転可能であるように取り付けられる掛止ブロック（２０）を備え、その上又は中に掛止手段（１０、１１）が配置される、請求項８又は９に記載のポールハンドル（１）。
【請求項１１】
前記作動要素（９）は、前記ハンドル頭部（２）の上部表面（６７）及び／又は前記手保持デバイス（７０）に向けられた手の側（Ｈ）において輪郭を成すように少なくとも部分的に展開され、前記ハンドル頭部（２）の前記上部表面（６７）における前記作動要素（９）の上部表面（６８）は、静止位置において、前記ハンドル頭部（２）の外側輪郭に少なくとも部分的に、又は、ほぼ完全に統合されており、前記ハンドル頭部（２）の前記外側輪郭は、前記ハンドル頭部（２）の先端（６５）から前記ハンドル頭部（２）と前記ハンドル本体（３）との間の前記ハンドル頭部（２）の手の側（Ｈ）における境界（６９）まで実質的に半円状又は弓状に延在する、請求項８〜１０のいずれかに記載のポールハンドル（１）。
【請求項１２】
前記ロックモジュール（６）が前記ハンドル本体（３）の空洞（５）内に配置された軸方向渦巻きばね（２８）を有し、緊急解除のために下方に張力がかけられ、その張力は調節することができる、請求項８〜１１のいずれかに記載のポールハンドル（１）。
【請求項１３】
前記掛止手段は、保持突起（１１）の形態で実現され、前記保持突起（１１）は、前記フック状デバイス（１４）に対して下方に張力がかけられる位置においては、力に対して制限される、前記ストラップ形状、リング形状、又は鳩目形状のデバイス（３３）のための領域（５９）を画定する、請求項８〜１２のいずれかに記載のポールハンドル（１）。
【請求項１４】
前記ロックモジュール（６）は、前記フック状デバイス（１４）が配置された固定要素（１５）と、前記掛止手段（１０、１１）が配置され、アンカー要素（５７）によって前記ポールハンドル（１）の前記長手軸（５６）の方向下方へ前記ハンドル本体（３）に取り付けられた掛止ブロック（２０）とを備え、自動ロックの解放のために実現される回転可能及び／又は傾斜可能な作動要素（９）を備え、前記掛止ブロック（２０）及び前記作動要素（９）は、前記固定要素（１５）によって周りが係合され、及び／又は少なくとも部分的に前記固定要素（５）に受容される、請求項８〜１３のいずれかに記載のポールハンドル（１）。
【請求項１５】
請求項１〜７のいずれかに記載の手保持デバイス（７０）を有する請求項８〜１４のいずれかに記載のポールハンドル（１）、又は請求項８〜１４のいずれかに記載のポールハンドル（１）を有し、前記ポールハンドル（１）に締着可能である請求項１〜７のいずれかに記載の手保持デバイス（７０）を有するポール。
【請求項１６】
スキーポール、ノルディックウォーキングポール、クロスカントリーポール、又はハイキングポールのための請求項８に記載のポールハンドル（１）への締着のための、請求項１に記載の手保持デバイス（７０）。
【請求項１７】
前記第１のストリップ（７４）は、前記手保持デバイス（７０）に締着され、手の外面の側の第１の領域（７４ａ）においてはゴム弾性の材料から形成され、手の内面の側（７４ｂ）においては非弾性の材料から形成されるストリップである、請求項１〜７及び１６のいずれかに記載の手保持デバイス（７０）。
【請求項１８】
前記第１のストリップ（７４）は、手の外面の側における前記手保持デバイス（７０）の領域（７６）と、手の内面の側における前記手保持デバイス（７０）の領域（７７）とを接続し、前記第１のストリップ（７４）の第１の端部及び前記第１のストリップ（７４）の第２の端部において前記手保持デバイス（７０）に縫い付けられ、その第１の端部の手の外面の側における前記手保持デバイス（７０）の前記領域（７６）のその締着部（６６）と、その第２の端部の手の内面の側における前記手保持デバイス（７０）の前記領域のその締着部との間の領域（８７）にある前記第１のストリップ（７４）は、前記手保持デバイス（７０）に、少なくとも前記連結要素（７９）の領域（８７）には締着されず、前記手保持デバイス（７０）は、前記親指と前記他の指の間において、手の外面の側における前記手保持デバイスの領域（７６）と手の内面の側における前記手保持デバイスの領域（７７）とを、一体的に接続する第２のストリップ（７５）を備え、前記第１のストリップ（７４）は第２のストリップ（７５）に重なり合うことにより、空間（７８）を形成する、請求項１〜７及び１６〜１７のいずれかに記載の手保持デバイス。
【請求項１９】
手の外面の側における前記手保持デバイス（７０）の領域（７６）において、前記手保持デバイス（７０）は少なくとも部分的に多層で実現され、前記第１のストリップ（７４）は、手の外面の側におけるその第１の端部において前記手保持デバイス（７０）に、第１の材料層と第２の材料層との間において、縫い付けられる、請求項１〜７及び１６〜１８のいずれかに記載の手保持デバイス（７０）。
【請求項２０】
前記第１のストリップは、手の外面の側における前記手保持デバイス（７０）の前記領域（７６）において手のための前記挿入開口部（７１）の付近に、手のための前記挿入開口部（７１）から０．５〜３ｃｍの最大距離で締着され、及び／又は、前記第１のストリップは、手の内面の側におけるその第２の端部において前記手保持デバイス（７０）に縫い付けられる、請求項１〜７及び１６〜１９のいずれかに記載の手保持デバイス（７０）。
【請求項２１】
前記連結要素（７９）は、鋸歯状剛性要素、フック状デバイス、又は、可撓性ストラップ若しくは鳩目として実現され、低伸縮性で、適用可能な場合編組された材料から、又は、編まれた若しくはコーティングされたワイヤ状材料から本質的に製造される、請求項１〜７及び１６〜２０のいずれかに記載の手保持デバイス。
【請求項２２】
スキーポール、ノルディックウォーキングポール、クロスカントリーポール、又はハイキングポールのために好ましいポールハンドル（１）であって、前記ポールハンドルは、ハンドル本体（３）と、ハンドストラップ又はグローブの形態の、請求項のいずれかに記載の手保持デバイス（７０）の締着のための、フック状デバイス（１４）を有するハンドル頭部（２）とを備え、前記フック状デバイス（１４）は、別個のロックモジュール（６）に締着されるか、又はその一部を成し、前記ロックモジュール（６）は、軸方向に上方からアクセス可能な前記ハンドル頭部（２）の凹み（４）に挿入可能であり、前記ハンドル頭部（２）内及び／又は前記ハンドル頭部（２）上に締着可能であり、前記ロックモジュール（６）内及び／又は前記ロックモジュール（６）上で変位可能又は回転可能なロック手段（１０、１１）が上方から前記フック状デバイス（１４）内に本質的に押し込まれ、前記手保持デバイス（７０）上に設けられるストラップ形状、リング形状、又は鳩目形状のデバイス（７９）が、前記フック状デバイス（１４）内又は前記ロックモジュール（６）に固定されるように、配置される、ポールハンドル（１）。
【請求項２３】
前記ロックモジュール（６）は、前記ポールハンドル（１）の長手軸（５６）を横切るように配置された少なくとも１つの第１のクロスピン（４５）によって、追加で第２のクロスピン（４６）によって、前記ハンドル頭部（２）に締着され、前記クロスピン（４５、４６）のうち少なくとも１つは、同時に、前記ハンドル頭部（２）にカバー（１２）を締着するのに役立つ、請求項８に記載のポールハンドル（１）。
【請求項２４】
前記ロックモジュール（６）は、変位可能及び／又は回転可能であるように取り付けられる掛止ブロック（２０）を備え、その上又は中に掛止手段（１０、１１）が配置され、前記ロックモジュール（６）は、前記掛止ブロック（２０）に締着され、外側から自動ロックを解除することによってばね力に抗して傾斜できる作動要素（９、３７）をさらに備える、請求項８に記載のポールハンドル（１）。
【請求項２５】
前記作動要素（９）は、前記ハンドル頭部（２）の上部表面（６７）及び／又は前記手保持デバイス（７０）に向けられた手の側（Ｈ）において輪郭を成すように少なくとも部分的に展開され、前記ハンドル頭部（２）の前記上部表面（６７）における前記作動要素（９）の上部表面（６８）は、静止位置において、さらに前記作動要素（９）の作動運動中においても、前記ハンドル頭部（２）の外側輪郭に少なくとも部分的に、又は、ほぼ完全に統合されており、前記ハンドル頭部（２）の前記外側輪郭は、前記ハンドル頭部（２）の先端（６５）から前記ハンドル頭部（２）と前記ハンドル本体（３）との間の前記ハンドル頭部（２）の手の側（Ｈ）における境界（６９）まで実質的に半円状又は弓状に延在する、請求項８に記載のポールハンドル（１）。
【請求項２６】
前記ロックモジュール（６）が前記ハンドル本体（３）の空洞（５）内に配置された軸方向渦巻きばね（２８）を有し、緊急解除のために下方に張力がかけられ、その張力は、調節ナット（３０）によって調節することができる、請求項８に記載のポールハンドル（１）。
【請求項２７】
前記掛止手段は、保持突起（１１）の形態で実現され、前記保持突起（１１）は、挿入方向上方に傾斜した側面を有し、前記フック状デバイス（１４）に対して下方に張力がかけられる位置においては、力に対して制限される、調節可能である前記ストラップ形状、リング形状、又は鳩目形状のデバイス（３３）のための領域（５９）を画定し、前記保持突起（１１）は変位可能であるように取り付けられ、変位により、規定された調節可能な力に対して前記制限された領域（５９）の上方への解放が可能であり、前記力は、ばね（３５）又は弾性要素によって確保される、請求項８に記載のポールハンドル（１）。
【請求項２８】
請求項１に記載の手保持デバイス（７０）を有する請求項８に記載のポールハンドル（１）、又は請求項８に記載のポールハンドル（１）を有し、前記ポールハンドル（１）に締着可能である請求項１に記載の手保持デバイス（７０）を有するスキーポール、ノルディックウォーキングポール、クロスカントリーポール、若しくはハイキングポール。
【手続補正２】
【補正対象書類名】明細書
【補正対象項目名】００４９
【補正方法】変更
【補正の内容】
【００４９】
図１、図２、及び図４に示される例示的実施形態によるポールハンドル１は、別個の構成要素としてハンドル頭部２に締着できるカバー１２をさらに備える。カバー１２の先端６５へ向かってテーパする領域における輪郭は、ハンドル頭部２のポールハンドル前側３ａを向く部分の輪郭に実質的に対応する。それぞれベルトによりカバー１２に一体成形された２つの脚部（図示せず）は、カバー１２の後部領域に配置される。ハンドル頭部２に取り付けられた状態において、脚部はポールハンドル長手軸５６と平行にハンドル頭部２内に、ハンドル頭部２の凹み４内に、又は凹み内部の境界を定める内壁とハンドル頭部２の外壁との間に突出する。各脚部は、凹みを備え、この凹みを通って締着ピン４６が、ポールハンドル１の長手軸５６を横切る軸３８に沿って挿入可能であり、当該ピンは、ハンドル頭部２にカバー１２を締着し、同時にロックモジュール６の締着に役立つ。ロックモジュール６がハンドル頭部２に挿入されると、ハンドル頭部２の穴５０ａ、５０ｂ、固定要素１５の穴４８ａ、４８ｂは、掛止ブロック２０の貫通穴５３、及び締着要素９の穴５２ｂは、内部に挿入され、かつ締着要素９、掛止ブロック２０、及び固定要素１５をハンドル頭部２に接続する締着ピン４６と一緒に軸３８に沿って相互に同軸上に延在する。
【手続補正３】
【補正対象書類名】明細書
【補正対象項目名】００５０
【補正方法】変更
【補正の内容】
【００５０】
図示される例示的実施形態において、嵌合状態では前側ハンドル頭部の縁からカバー１２の中空領域内に突出し、そこでカバー１２の内表面の凹み又は下部切り込み部分に掛止する掛止突起（図示せず）は、ハンドル頭部２の前方にテーパする領域に配置される。図示される例示的実施形態において、カバー１２の内表面は、いくつかの支柱（図示せず）を備える。作動要素９の解放ボタン３７の切り抜き部２５は、カバー１２の後部部分に配置され、これは、取り付けられた状態では、後側ポールハンドル領域３ｂを向く、すなわち、走行方向Ｂとは反対の方向Ｈを指す。